(57)【要約】      （修正有）【課題】商用電源回路網に全く影響を与えず、また、商用電源回路網から影響を受けることもなく、安価で信頼性の高いデータ通信が可能なシリアルデータの送受信システムを提供する。【解決手段】送信機１２に、商用電源ライン１１の商用電源波形に基づいた送信同期信号を作成する送信同期信号作成回路２１と、この送信同期信号と送信データとから送信コードを作成する送信コード作成回路２２と、発振回路２３からの無線搬送波を前記送信コードに基づいてスイッチングするスイッチ回路２４と、スイッチ回路からの送信波を送信する送信回路２５とを設け、受信機１３に、前記送信同期信号と同位相の受信同期信号を作成する第１受信同期信号作成回路３１、第２受信同期信号作成回路３２と、この受信同期信号と受信回路３３により受信した受信波とから受信コードを作成するデコード回路３４と、この受信コードから受信データを判定するコード判定回路３５とを設ける。【選択図】      図２
2004274645.tif 000002
【特許請求の範囲】
【請求項１】
商用電源ラインに接続され、ワイヤレス通信によりシリアルデータを送信する送信機において、
前記商用電源ラインの商用電源波形に基づいた送信同期信号に同期させて前記シリアルデータを送信することを特徴とする送信機。
【請求項２】
商用電源ラインに接続され、無線通信によりシリアルデータを送信する送信機において、
前記商用電源ラインの商用電源波形に基づいた送信同期信号を作成する送信同期信号作成回路と、該送信同期信号と前記シリアルデータとから送信コードを作成する送信コード作成回路と、発振回路からの無線搬送波を前記送信コードに基づいてスイッチングした送信波を送信する送信回路と、を設けたことを特徴とする送信機。
【請求項３】
商用電源ラインに接続され、光通信によりシリアルデータを送信する送信機において、
前記商用電源ラインの商用電源波形に基づいた送信同期信号を作成する送信同期信号作成回路と、該送信同期信号と前記シリアルデータとから送信コードを作成する送信コード作成回路と、パルス発振回路からのパルス信号を前記送信コードに基づいてスイッチングした送信パルスに応じて発光する発光回路と、を設けたことを特徴とする送信機。
【請求項４】
商用電源ラインに接続され、ワイヤレス通信によりシリアルデータを受信する受信機において、
前記商用電源ラインの商用電源波形に基づいた受信同期信号に同期させて前記シリアルデータを受信することを特徴とする受信機。
【請求項５】
商用電源ラインに接続され、無線通信によりシリアルデータを受信する受信機において、
前記商用電源ラインの商用電源波形に基づいた受信同期信号を作成する受信同期信号作成回路と、該受信同期信号と受信回路により受信した受信波とから受信コードを作成するデコード回路と、該受信コードから前記シリアルデータを判定するコード判定回路と、を設けたことを特徴とする受信機。
【請求項６】
前記受信回路の電源を前記受信同期信号に同期させてオン・オフすることを特徴とする請求項５に記載の受信機。
【請求項７】
商用電源ラインに接続され、光通信によりシリアルデータを受信する受信機において、
前記商用電源ラインの商用電源波形に基づいた受信同期信号を作成する受信同期信号作成回路と、該受信同期信号と受光回路により受信した受信波とから受信コードを作成するデコード回路と、該受信コードから前記シリアルデータを判定するコード判定回路と、を設けたことを特徴とする受信機。
【請求項８】
前記受光回路の電源を前記受信同期信号に同期させてオン・オフすることを特徴とする請求項７に記載の受信機。
【請求項９】
共通の商用電源ラインに接続された送信機と受信機との間でワイヤレス通信によるシリアルデータの送受信を行う送受信装置において、
前記送信機が、前記商用電源ラインの商用電源波形に基づいた送信同期信号に同期させて前記シリアルデータを送信し、前記受信機が、前記送信同期信号と同位相の受信同期信号に同期させて前記シリアルデータを受信することを特徴とする送受信装置。
【請求項１０】
共通の商用電源ラインに接続された送信機と受信機との間で無線通信によるシリアルデータの送受信を行う送受信装置において、
前記送信機が、前記商用電源ラインの商用電源波形に基づいた送信同期信号を作成する送信同期信号作成回路と、該送信同期信号と前記シリアルデータとから送信コードを作成する送信コード作成回路と、発振回路からの無線搬送波を前記送信コードに基づいてスイッチングした送信波を送信する送信回路とを具備し、前記受信機が、前記送信同期信号と同位相の受信同期信号を作成する受信同期信号作成回路と、該受信同期信号と受信回路により受信した受信波とから受信コードを作成するデコード回路と、該受信コードから前記シリアルデータを判定するコード判定回路とを具備することを特徴とする送受信装置。
【請求項１１】
前記受信回路の電源を前記受信同期信号と同期させてオン・オフすることを特徴とする請求項１０に記載の送受信装置。
【請求項１２】
共通の商用電源ラインに接続された送信機と受信機との間で光通信によるシリアルデータの送受信を行う送受信装置において、
前記送信機が、前記商用電源ラインの商用電源波形に基づいた送信同期信号を作成する送信同期信号作成回路と、該送信同期信号と前記シリアルデータとから送信コードを作成する送信コード作成回路と、パルス発振回路からのパルス信号を前記送信コードに基づいてスイッチングした送信パルスに応じて発光する発光回路とを具備し、前記受信機が、前記送信同期信号と同位相の受信同期信号を作成する受信同期信号作成回路と、該受信同期信号と受光回路により受信した受信波とから受信コードを作成するデコード回路と、該受信コードから前記シリアルデータを判定するコード判定回路とを具備することを特徴とする送受信装置。
【請求項１３】
前記受光回路の電源を前記受信同期信号と同期させてオン・オフすることを特徴とする請求項１２に記載の送受信装置。
【請求項１４】
商用電源ラインに接続され、ワイヤレス通信によりシリアルデータを送受信する送受信機において、
前記商用電源ラインの商用電源波形に基づいた正相同期信号に同期させて送信シリアルデータを送信し、前記正相同期信号と逆位相の逆相同期信号に同期させて受信シリアルデータを受信することを特徴とする送受信機。
【請求項１５】
商用電源ラインに接続され、無線通信によりシリアルデータを送受信する送受信機において、
前記商用電源ラインの商用電源波形に基づいた正相同期信号を作成する正相同期信号作成回路と、該正相同期信号と送信シリアルデータとから送信コードを作成する送信コード作成回路と、発振回路からの無線搬送波を前記送信コードに基づいてスイッチングした送信波を送信する送信回路と、前記正相同期信号を反転させた逆相同期信号を出力するインバータ回路と、該逆相同期信号と受信回路により受信した受信波とから受信コードを作成するデコード回路と、該受信コードから受信シリアルデータを判定するコード判定回路と、を設けたことを特徴とする送受信機。
【請求項１６】
前記受信回路の電源を前記逆相同期信号と同期させてオン・オフすることを特徴とする請求項１５に記載の送受信機。
【請求項１７】
商用電源ラインに接続され、光通信によりシリアルデータを送受信する送受信機において、
前記商用電源ラインの商用電源波形に基づいた正相同期信号を作成する正相同期信号作成回路と、該正相同期信号と送信シリアルデータとから送信コードを作成する送信コード作成回路と、パルス発振回路からのパルス信号を前記送信コードに基づいてスイッチングした送信パルスに応じて発光する発光回路と、前記正相同期信号を反転させた逆相同期信号を出力するインバータ回路と、該逆相同期信号と受光回路により受信した受信波とから受信コードを作成するデコード回路と、該受信コードから受信シリアルデータを判定するコード判定回路と、を設けたことを特徴とする送受信機。
【請求項１８】
前記受光回路の電源を前記逆相同期信号と同期させてオン・オフすることを特徴とする請求項１７に記載の送受信機。
【請求項１９】
共通の商用電源ラインに接続された第１の送受信機と第２の送受信機との間でワイヤレス通信によるシリアルデータの送受信を相互に行う送受信システムにおいて、
第１の送受信機が、前記商用電源ラインの商用電源波形に基づいた第１の正相同期信号を作成する第１の正相同期信号作成回路と、第１の正相同期信号に同期させて第１のシリアルデータを送信する第１の送信部と、第１の正相同期信号を反転させた第１の逆相同期信号を出力する第１のインバータ回路と、第１の逆相同期信号に同期させて第２のシリアルデータを受信する第１の受信部とを具備し、第２の送受信機が、第１の正相同期信号と同位相の第２の正相同期信号を作成する第２の正相同期信号作成回路と、第２の正相同期信号に同期させて第１のシリアルデータを受信する第２の受信部と、第２の正相同期信号を反転させた第２の逆相同期信号を出力する第２のインバータ回路と、第２の逆相同期信号に同期させて第２のシリアルデータを送信する第２の送信部とを具備することを特徴とする送受信システム。
【請求項２０】
第１の送信部が、第１の正相同期信号と第１のシリアルデータとから第１の送信コードを作成する第１の送信コード作成回路と、第１の発振回路からの第１の無線搬送波を第１の送信コードに基づいてスイッチングした第１の送信波を送信する第１の送信回路とを備え、
第１の受信部が、第１の逆相同期信号と第１の受信回路により受信した第１の受信波とから第１の受信コードを作成する第１のデコード回路と、第１の受信コードから第２のシリアルデータを判定する第１のコード判定回路とを備え、
第２の送信部が、第２の逆相同期信号と第２のシリアルデータとから第２の送信コードを作成する第２の送信コード作成回路と、第２の発振回路からの第２の無線搬送波を第２の送信コードに基づいてスイッチングした第２の送信波を送信する第２の送信回路とを備え、
第２の受信部が、第２の正相同期信号と第２の受信回路により受信した第２の受信波とから第２の受信コードを作成する第２のデコード回路と、第２の受信コードから第１のシリアルデータを判定する第２のコード判定回路とを備えたことを特徴とする請求項１９に記載の送受信システム。
【請求項２１】
第１の送信部が、第１の正相同期信号と第１のシリアルデータとから第１の送信コードを作成する第１の送信コード作成回路と、第１のパルス発振回路からの第１のパルス信号を第１の送信コードに基づいてスイッチングした第１の送信パルスに応じて発光する第１の発光回路とを備え、
第１の受信部が、第１の逆相同期信号と第１の受光回路により受信した第１の受信波とから第１の受信コードを作成する第１のデコード回路と、第１の受信コードから第２のシリアルデータを判定する第１のコード判定回路とを備え、
第２の送信部が、第２の逆相同期信号と第２のシリアルデータとから第２の送信コードを作成する第２の送信コード作成回路と、第２のパルス発振回路からの第２のパルス信号を第２の送信コードに基づいてスイッチングした第２の送信パルスに応じて発光する第２の発光回路とを備え、
第２の受信部が、第２の正相同期信号と第２の受光回路により受信した第２の受信波とから第２の受信コードを作成する第２のデコード回路と、第２の受信コードから第１のシリアルデータを判定する第２のコード判定回路とを備えたことを特徴とする請求項１９に記載の送受信システム。
【請求項２２】
第１の受信部の電源を第１の逆相同期信号と同期させてオン・オフし、第２の受信部の電源を第２の正相同期信号と同期させてオン・オフすることを特徴とする請求項１９〜請求項２１のいずれかに記載の送受信システム。
【請求項２３】
ＤＶＤに記録された音声信号を再生するＤＶＤプレーヤーメインユニットと、前記再生された音声信号のフロント側音声信号を増幅するフロント２チャンネルアンプと、該フロント２チャンネルアンプの各チャンネルに接続された一対のフロントスピーカと、前記再生された音声信号のリア側音声信号をＦＭ変調して送信するリア音声送信機と、該リア音声送信機からの送信波を受信して復調するリア音声受信機と、該リア音声受信機で復調されたリア側音声信号を増幅するリア２チャンネルアンプと、該リア２チャンネルアンプの各チャンネルに接続された一対のリアスピーカと、商用電源ラインに接続され、前記ＤＶＤプレーヤーメインユニットからのリア音声制御コードをワイヤレスでシリアル伝送するコントロールコード送信機と、前記商用電源ラインに接続され、前記コントロールコード送信機からのワイヤレスでシリアル伝送されたリア音声制御コードを受信して前記リア音声受信機とリア２チャンネルアンプに与えるコントロールコード受信機と、から成るＤＶＤシアターシステムにおいて、
前記コントロールコード送信機が、請求項１〜請求項３のいずれかに記載の送信機であることを特徴とするＤＶＤシアターシステム。
【請求項２４】
ＤＶＤに記録された音声信号を再生するＤＶＤプレーヤーメインユニットと、前記再生された音声信号のフロント側音声信号を増幅するフロント２チャンネルアンプと、該フロント２チャンネルアンプの各チャンネルに接続された一対のフロントスピーカと、前記再生された音声信号のリア側音声信号をＦＭ変調して送信するリア音声送信機と、該リア音声送信機からの送信波を受信して復調するリア音声受信機と、該リア音声受信機で復調されたリア側音声信号を増幅するリア２チャンネルアンプと、該リア２チャンネルアンプの各チャンネルに接続された一対のリアスピーカと、商用電源ラインに接続され、前記ＤＶＤプレーヤーメインユニットからのリア音声制御コードをワイヤレスでシリアル伝送するコントロールコード送信機と、前記商用電源ラインに接続され、前記コントロールコード送信機からのワイヤレスでシリアル伝送されたリア音声制御コードを受信して前記リア音声受信機とリア２チャンネルアンプに与えるコントロールコード受信機と、から成るＤＶＤシアターシステムにおいて、
前記コントロールコード受信機が、請求項４〜請求項８のいずれかに記載の受信機であることを特徴とするＤＶＤシアターシステム。
【請求項２５】
ＤＶＤに記録された音声信号を再生するＤＶＤプレーヤーメインユニットと、前記再生された音声信号のフロント側音声信号を増幅するフロント２チャンネルアンプと、該フロント２チャンネルアンプの各チャンネルに接続された一対のフロントスピーカと、前記再生された音声信号のリア側音声信号をＦＭ変調して送信するリア音声送信機と、該リア音声送信機からの送信波を受信して復調するリア音声受信機と、該リア音声受信機で復調されたリア側音声信号を増幅するリア２チャンネルアンプと、該リア２チャンネルアンプの各チャンネルに接続された一対のリアスピーカと、商用電源ラインに接続され、前記ＤＶＤプレーヤーメインユニットからのリア音声制御コードをワイヤレスでシリアル伝送するコントロールコード送信機と、前記商用電源ラインに接続され、前記コントロールコード送信機からのワイヤレスでシリアル伝送されたリア音声制御コードを受信して前記リア音声受信機とリア２チャンネルアンプに与えるコントロールコード受信機と、から成るＤＶＤシアターシステムにおいて、
前記コントロールコード送信機とコントロールコード受信機とが、請求項９〜請求項１３のいずれかに記載の送受信装置であることを特徴とするＤＶＤシアターシステム。
【発明の詳細な説明】
【０００１】
【発明の属する技術分野】
本発明は、シリアルデータを機器間で送受信する送受信システムに関するものであり、特に、共通の商用電源に接続された機器間でシリアルデータを送受信する送受信システムに関するものである。
【０００２】
【従来の技術】
従来より、共通の商用電源に接続された機器間でシリアルデータを送受信するシステムとして電力線通信や、一般的な電波または光を媒体とした無線通信、光通信等がある。また、屋内で用いる通信機において、垂直面内で互いに異なる角度の指向性ビームを下方または上方にチルトさせた複数の水平面内無指向性アンテナを用いてダイバーシティ通信を行うようにしたものもある（例えば、特許文献１参照）。
【０００３】
【特許文献１】
特開２００１−３２０３１１号公報    （第２−４頁、第１図）
【０００４】
【発明が解決しようとする課題】
しかしながら、電力線通信では、商用電源回線に高周波を乗せて通信するため、ノイズを商用電源回路網に放出し、商用電源に接続された他の機器に悪影響を与える可能性がある。また、商用電源回線からのノイズの影響を受けやすい上、回路構成が複雑になり、コスト的にも高くなる等の問題がある。
【０００５】
また、一般的な電波、光による無線通信、光通信等でも、送受信されるシリアルデータの２進数コード（１，０）を区別するために変調をかけてシリアル伝送する必要があり、そのため、回路構成が複雑になり、コスト的にも高くなるという問題があった。また、信頼性を確保するためには、転送速度をあげることができない等の問題もあった。
【０００６】
また、特許文献１に記載の従来技術では、シャドウイングやフェージングの影響を軽減して通信品質を高めることはできるが、複数のアンテナを用いるため、機器の大型化を招来したり、アンテナの切替回路等が必要であり、回路が複雑化するという問題があった。また、コスト的にも高くなるという問題があった。
【０００７】
本発明は、上記の点に鑑み、商用電源回路網に全く影響を与えず、また、商用電源回路網から影響を受けることもなく、安価で信頼性の高いデータ通信が可能なシリアルデータの送受信システムを提供することを目的とする。
【０００８】
【課題を解決するための手段】
上記目的を達成するために本発明は、商用電源ラインに接続され、ワイヤレス通信によりシリアルデータを送信する送信機において、前記商用電源ラインの商用電源波形に基づいた送信同期信号に同期させて前記シリアルデータを送信するようにしたものである。このようにすると、クロック同期方式でデータ送信することができるので、通信の信頼性を高めることができるとともに、送信データの２進数コードを区別するために、通信媒体である電波や光に特別な変調処理を施すことが不要となるので、送信機の回路構成を簡単にできる。
【０００９】
また、例えば、商用電源ラインに接続され、無線通信によりシリアルデータを送信する送信機において、前記商用電源ラインの商用電源波形に基づいた送信同期信号を作成する送信同期信号作成回路と、該送信同期信号と前記シリアルデータとから送信コードを作成する送信コード作成回路と、発振回路からの無線搬送波を前記送信コードに基づいてスイッチングした送信波を送信する送信回路とを設けると良い。このようにすると、送信データの２進数コードを区別するために、通信媒体である電波に特別な変調処理を施すことなくシリアルデータを無線通信で送信できる。
【００１０】
また、例えば、商用電源ラインに接続され、光通信によりシリアルデータを送信する送信機において、前記商用電源ラインの商用電源波形に基づいた送信同期信号を作成する送信同期信号作成回路と、該送信同期信号と前記シリアルデータとから送信コードを作成する送信コード作成回路と、パルス発振回路からのパルス信号を前記送信コードに基づいてスイッチングした送信パルスに応じて発光する発光回路とを設けると良い。このようにすると、送信データの２進数コードを区別するために、通信媒体である光に特別な変調処理を施すことなくシリアルデータを光通信で送信できる。
【００１１】
また、例えば、商用電源ラインに接続され、ワイヤレス通信によりシリアルデータを受信する受信機において、前記商用電源ラインの商用電源波形に基づいた受信同期信号に同期させて前記シリアルデータを受信すると良い。このようにすると、クロック同期方式でデータ受信することができるので、通信の信頼性を高めることができるとともに、通信媒体である電波や光に特別な変調処理が施されていなくても、受信データの２進数コードを区別することができるので、受信機の回路構成を簡単にできる。
【００１２】
また、例えば、商用電源ラインに接続され、無線通信によりシリアルデータを受信する受信機において、前記商用電源ラインの商用電源波形に基づいた受信同期信号を作成する受信同期信号作成回路と、該受信同期信号と受信回路により受信した受信波とから受信コードを作成するデコード回路と、該受信コードから前記シリアルデータを判定するコード判定回路とを設けると良い。このようにすると、通信媒体である電波に特別な変調処理が施されていなくても、受信データの２進数コードを区別することができ、受信機の回路構成を簡単にできる。
【００１３】
また、例えば、商用電源ラインに接続され、光通信によりシリアルデータを受信する受信機において、前記商用電源ラインの商用電源波形に基づいた受信同期信号を作成する受信同期信号作成回路と、該受信同期信号と受光回路により受信した受信波とから受信コードを作成するデコード回路と、該受信コードから前記シリアルデータを判定するコード判定回路とを設けると良い。このようにすると、通信媒体である光に特別な変調処理が施されていなくても、受信データの２進数コードを区別することができ、受信機の回路構成を簡単にできる。
【００１４】
また、例えば、共通の商用電源ラインに接続された送信機と受信機との間でワイヤレス通信によるシリアルデータの送受信を行う送受信装置において、前記送信機が、前記商用電源ラインの商用電源波形に基づいた送信同期信号に同期させて前記シリアルデータを送信し、前記受信機が、前記送信同期信号と同位相の受信同期信号に同期させて前記シリアルデータを受信すると良い。このようにすると、クロック同期方式でデータを送受信することにより、送信された電波または光の有無で送信データの２進数コードを区別することができる。これにより、通信媒体である電波や光に特別な変調処理を施すことが不要となり、送信機および受信機の回路構成を簡単にした送受信装置が提供できる。
【００１５】
また、例えば、共通の商用電源ラインに接続された送信機と受信機との間で無線通信によるシリアルデータの送受信を行う送受信装置において、前記送信機に、前記商用電源ラインの商用電源波形に基づいた送信同期信号を作成する送信同期信号作成回路と、該送信同期信号と前記シリアルデータとから送信コードを作成する送信コード作成回路と、発振回路からの無線搬送波を前記送信コードに基づいてスイッチングした送信波を送信する送信回路とを設け、前記受信機に、前記送信同期信号と同位相の受信同期信号を作成する受信同期信号作成回路と、該受信同期信号と受信回路により受信した受信波とから受信コードを作成するデコード回路と、該受信コードから前記シリアルデータを判定するコード判定回路とを設けると良い。このようにすると、クロック同期方式でデータを送受信することにより、送信された電波の有無で送信データの２進数コードを区別することができる。これにより、通信媒体である電波に特別な変調処理を施すことが不要となり、送信機および受信機の回路構成を簡単にした送受信装置が提供できる。
【００１６】
また、例えば、共通の商用電源ラインに接続された送信機と受信機との間で無線通信によるシリアルデータの送受信を行う送受信装置において、前記送信機に、前記商用電源ラインの商用電源波形に基づいた送信同期信号を作成する送信同期信号作成回路と、該送信同期信号と前記シリアルデータとから送信コードを作成する送信コード作成回路と、発振回路からの無線搬送波を前記送信コードに基づいてスイッチングした送信波を送信する送信回路と設け、前記受信機に、前記送信同期信号と同位相の受信同期信号を作成する受信同期信号作成回路と、該受信同期信号と受信回路により受信した受信波とから受信コードを作成するデコード回路と、該受信コードから前記シリアルデータを判定するコード判定回路とを設けると良い。このようにすると、クロック同期方式でデータを送受信することにより、送信された光の有無で送信データの２進数コードを区別することができる。これにより、通信媒体である光に特別な変調処理を施すことが不要となり、送信機および受信機の回路構成を簡単にした送受信装置が提供できる。
【００１７】
また、例えば、前記受信回路または受光回路の電源を前記受信同期信号に同期させてオン・オフすると、前記受信回路または受光回路がデータ受信のために動作するときのみ、前記受信回路または受光回路に電源を与えることができるので、前記受信回路または受光回路の受信機能を損なうことなく、受信機の消費電力を低減することができる。
【００１８】
また、例えば、商用電源ラインに接続され、ワイヤレス通信によりシリアルデータを送受信する送受信機において、前記商用電源ラインの商用電源波形に基づいた正相同期信号に同期させて送信シリアルデータを送信し、前記正相同期信号と逆位相の逆相同期信号に同期させて受信シリアルデータを受信すると良い。このようにすると、クロック同期方式でデータを送受信することにより、送信された電波または光の有無で送信データの２進数コードを区別することができる。また、送信期間と受信期間とが重なることがないので、混信することもない。これにより、通信媒体である電波や光に特別な変調処理を施すことが不要となり、回路構成を簡単にした送受信機が提供できる。
【００１９】
また、例えば、商用電源ラインに接続され、無線通信によりシリアルデータを送受信する送受信機において、前記商用電源ラインの商用電源波形に基づいた正相同期信号を作成する正相同期信号作成回路と、該正相同期信号と送信シリアルデータとから送信コードを作成する送信コード作成回路と、発振回路からの無線搬送波を前記送信コードに基づいてスイッチングした送信波を送信する送信回路と、前記正相同期信号を反転させた逆相同期信号を出力するインバータ回路と、該逆相同期信号と受信回路により受信した受信波とから受信コードを作成するデコード回路と、該受信コードから受信シリアルデータを判定するコード判定回路とを設けると良い。このようにすると、クロック同期方式でデータを送受信することにより、送信された電波の有無で送信データの２進数コードを区別することができる。また、送信期間と受信期間とが重なることがないので、混信することもない。これにより、通信媒体である電波に特別な変調処理を施すことが不要となり、回路構成を簡単にした送受信機が提供できる。
【００２０】
また、例えば、商用電源ラインに接続され、光通信によりシリアルデータを送受信する送受信機において、前記商用電源ラインの商用電源波形に基づいた正相同期信号を作成する正相同期信号作成回路と、該正相同期信号と送信シリアルデータとから送信コードを作成する送信コード作成回路と、パルス発振回路からのパルス信号を前記送信コードに基づいてスイッチングした送信パルスに応じて発光する発光回路と、前記正相同期信号を反転させた逆相同期信号を出力するインバータ回路と、該逆相同期信号と受光回路により受信した受信波とから受信コードを作成するデコード回路と、該受信コードから受信シリアルデータを判定するコード判定回路とを設けると良い。このようにすると、クロック同期方式でデータを送受信することにより、送信された光の有無で送信データの２進数コードを区別することができる。また、送信期間と受信期間とが重なることがないので、混信することもない。これにより、通信媒体である光に特別な変調処理を施すことが不要となり、回路構成を簡単にした送受信機が提供できる。
【００２１】
また、例えば、前記受信回路または受光回路の電源を前記逆相同期信号に同期させてオン・オフすると、前記受信回路または受光回路がデータ受信のために動作するときのみ、前記受信回路または受光回路に電源を与えることができるので、前記受信回路または受光回路の受信機能を損なうことなく、送受信機の消費電力を低減することができる。
【００２２】
また、例えば、共通の商用電源ラインに接続された第１の送受信機と第２の送受信機との間でワイヤレス通信によるシリアルデータの送受信を相互に行う送受信システムにおいて、第１の送受信機に、前記商用電源ラインの商用電源波形に基づいた第１の正相同期信号を作成する第１の正相同期信号作成回路と、第１の正相同期信号に同期させて第１のシリアルデータを送信する第１の送信部と、第１の正相同期信号を反転させた第１の逆相同期信号を出力する第１のインバータ回路と、第１の逆相同期信号に同期させて第２のシリアルデータを受信する第１の受信部とを設け、第２の送受信機に、第１の正相同期信号と同位相の第２の正相同期信号を作成する第２の正相同期信号作成回路と、第２の正相同期信号に同期させて第１のシリアルデータを受信する第２の受信部と、第２の正相同期信号を反転させた第２の逆相同期信号を出力する第２のインバータ回路と、第２の逆相同期信号に同期させて第２のシリアルデータを送信する第２の送信部とを設けると良い。このようにすると、クロック同期方式でデータを送受信することにより、送信された電波または光の有無で送信データの２進数コードを区別することができる。また、第１、第２の送受信機の互いの送信期間が重なることがないので、混信することもない。これにより、通信媒体である電波または光に特別な変調処理を施すことが不要となり、回路構成を簡単にした送受信システムが提供できる。
【００２３】
また、例えば、第１の送信部に、第１の正相同期信号と第１のシリアルデータとから第１の送信コードを作成する第１の送信コード作成回路と、第１の発振回路からの第１の無線搬送波を第１の送信コードに基づいてスイッチングした第１の送信波を送信する第１の送信回路とを設け、第１の受信部に、第１の逆相同期信号と第１の受信回路により受信した第１の受信波とから第１の受信コードを作成する第１のデコード回路と、第１の受信コードから第２のシリアルデータを判定する第１のコード判定回路とを設け、第２の送信部に、第２の逆相同期信号と第２のシリアルデータとから第２の送信コードを作成する第２の送信コード作成回路と、第２の発振回路からの第２の無線搬送波を第２の送信コードに基づいてスイッチングした第２の送信波を送信する第２の送信回路とを設け、第２の受信部に、第２の正相同期信号と第２の受信回路により受信した第２の受信波とから第２の受信コードを作成する第２のデコード回路と、第２の受信コードから第１のシリアルデータを判定する第２のコード判定回路と設けると良い。このようにすると、クロック同期方式でデータを送受信することにより、送信された電波の有無で送信データの２進数コードを区別することができる。また、第１、第２の送受信機の互いの送信期間が重なることがないので、混信することもない。これにより、通信媒体である電波に特別な変調処理を施すことが不要となり、回路構成を簡単にした送受信システムが提供できる。
【００２４】
また、例えば、第１の送信部に、第１の正相同期信号と第１のシリアルデータとから第１の送信コードを作成する第１の送信コード作成回路と、第１のパルス発振回路からの第１のパルス信号を第１の送信コードに基づいてスイッチングした第１の送信パルスに応じて発光する第１の発光回路とを設け、第１の受信部に、第１の逆相同期信号と第１の受光回路により受信した第１の受信波とから第１の受信コードを作成する第１のデコード回路と、第１の受信コードから第２のシリアルデータを判定する第１のコード判定回路とを設け、第２の送信部に、第２の逆相同期信号と第２のシリアルデータとから第２の送信コードを作成する第２の送信コード作成回路と、第２のパルス発振回路からの第２のパルス信号を第２の送信コードに基づいてスイッチングした第２の送信パルスに応じて発光する第２の発光回路とを設け、第２の受信部に、第２の正相同期信号と第２の受光回路により受信した第２の受信波とから第２の受信コードを作成する第２のデコード回路と、第２の受信コードから第１のシリアルデータを判定する第２のコード判定回路とを設けると良い。このようにすると、クロック同期方式でデータを送受信することにより、送信された光の有無で送信データの２進数コードを区別することができる。また、第１、第２の送受信機の互いの送信期間が重なることがないので、混信することもない。これにより、通信媒体である光に特別な変調処理を施すことが不要となり、回路構成を簡単にした送受信システムが提供できる。
【００２５】
また、例えば、第１の受信部の電源を第１の逆相同期信号と同期させてオン・オフし、第２の受信部の電源を第２の正相同期信号と同期させてオン・オフすると良い。このようにすると、第１の受信部および第２の受信部がデータ受信のために動作するときのみ、第１の受信部および第２の受信部に電源を与えることができるので、第１の受信部および第２の受信部の受信機能を損なうことなく、送受信システムの消費電力を低減することができる。
【００２６】
また、例えば、ＤＶＤに記録された音声信号を再生するＤＶＤプレーヤーメインユニットと、前記再生された音声信号のフロント側音声信号を増幅するフロント２チャンネルアンプと、該フロント２チャンネルアンプの各チャンネルに接続されたフロントスピーカと、前記再生された音声信号のリア側音声信号をＦＭ変調して送信するリア音声送信機と、該リア音声送信機からの送信波を受信して復調するリア音声受信機と、該リア音声受信機で復調されたリア側音声信号を増幅するリア２チャンネルアンプと、該リア２チャンネルアンプの各チャンネルに接続されたリアスピーカと、商用電源ラインに接続され、前記ＤＶＤプレーヤーメインユニットからのリア音声制御コードをワイヤレスでシリアル伝送するコントロールコード送信機と、前記商用電源ラインに接続され、前記コントロールコード送信機からのワイヤレスでシリアル伝送されたリア音声制御コードを受信して前記リア音声受信機とリア２チャンネルアンプに与えるコントロールコード受信機と、から成るＤＶＤシアターシステムにおいて、前記コントロールコード送信機とコントロールコード受信機が、前記商用電源ラインの商用電源波形に基づいた同期信号に同期させて前記リア音声制御コードをシリアル伝送すると良い。このようにすると、クロック同期方式で前記リア音声制御コードを送受信することができるので、伝送品質を高めることができるとともに、伝送シリアルデータの２進数コードを区別するために、通信媒体である電波や光に特別な変調処理を施すことが不要となるので、回路構成を簡単にしたＤＶＤシアターシステムが実現できる。
【００２７】
【発明の実施の形態】
以下に、本発明の実施形態を図面を参照して説明する。図１は本発明の一実施形態に係る送受信装置が使用される４ｃｈのＤＶＤシアターシステムの構成を示すブロック図である。
【００２８】
図１において、１はＤＶＤプレーヤーメインユニットであり、ＤＶＤプレーヤーメインユニット１で再生される音声信号の内、フロント側音声信号は、ＤＶＤプレーヤーメインユニット１に接続されたフロント２ｃｈアンプ２で増幅され、この増幅されたフロント側音声信号が、フロント２ｃｈアンプ２に接続されたフロントスピーカ３および４に送られ、フロントスピーカ３、４からフロント側の音声が出力される。
【００２９】
一方、リア側音声信号は、ＤＶＤプレーヤーメインユニット１に接続されたリア音声送信機５に送られ、リア音声送信機５からＦＭ変調された電波によって、ワイヤレスでリア音声受信機６に伝送される。そして、リア音声受信機６に接続されたリア２ｃｈアンプ７で増幅され、この増幅されたリア側音声信号が、リア２ｃｈアンプ７に接続されたリアスピーカ８および９に送られ、リアスピーカ８、９からリア側の音声が出力される。これにより、フロントスピーカ３、４とリアスピーカ８、９との中央付近に位置しているユーザ１０は、４ｃｈの音声を前後から聞くことができ、臨場感のある音声を楽しむことができる。
【００３０】
ここで、リアスピーカ８、９から出力される音声は、フロントスピーカ３、４から出力される音声と連動させる必要があるため、リア音声受信機６とリア２ｃｈアンプ７とは、ＤＶＤプレーヤーメインユニット１からの制御により、電源のオン・オフやボリュームのコントロール等が行われる。このため、商用電源ライン１１に接続されるとともに、ＤＶＤプレーヤーメインユニット１に接続されたコントロールコード送信機１２と、商用電源ライン１１に接続されるとともに、リア音声受信機６とリア２ｃｈアンプ７に接続されたコントロールコード受信機１３が備えられている。
【００３１】
そして、ＤＶＤプレーヤーメインユニット１からリア音声受信機６とリア２ｃｈアンプ７とを制御するためのコントロールコードが、コントロールコード送信機１２に送られ、コントロールコード送信機１２から電波または光を媒体として、ワイヤレスでコントロールコード受信機１３にシリアル伝送される。コントロールコード受信機１３は、リア音声受信機６とリア２ｃｈアンプ７に、受信したコントロールコードを送り、リア音声受信機６とリア２ｃｈアンプ７は、このコントロールコードに従って動作し、電源オン・オフやボリューム等の制御が行われる。
【００３２】
図１に示す４ｃｈのＤＶＤシアターシステムにおいて、コントロールコード送信機１２とコントロールコード受信機１３とに、本発明の一実施形態に係る送受信装置が使用されており、上述したコントロールコード送信機１２とコントロールコード受信機１３間のコントロールコードのシリアル伝送は、商用電源ライン１１の商用電源波形に同期したクロック同期方式で行われる。以下に、このような送受信装置の構成および動作を説明する。
【００３３】
図２は、本発明の第１の実施形態に係る送受信装置の電気的構成を示すブロック図である。図２において、図１と同一のものには同一の符号を付している。図２において、１１は商用電源ライン、１２はコントロールコード送信機、１３はコントロールコード受信機である。コントロールコード送信機１２とコントロールコード受信機１３は共に商用電源ライン１１に接続されており、ＡＣ電源（５０／６０Ｈｚ）が供給されている。そして、コントロールコード送信機１２とコントロールコード受信機１３との間で、無線電波によってコントロールコードがシリアル伝送されている。
【００３４】
コントロールコード送信機１２は、送信同期信号作成回路２１、送信コード作成回路２２、発振回路２３、スイッチ回路２４および送信回路２５で構成されている。また、コントロールコード受信機１３は、第１受信同期信号作成回路３１、第２受信同期信号作成回路３２、受信回路３３、デコード回路３４およびコード判定回路３５で構成されている。これらの各部の動作を図３を参照して説明する。図３は、図２に示すコントロールコード送信機１２およびコントロールコード受信機１３の内部回路の信号波形図である。
【００３５】
先ず、コントロールコード送信機１２の動作を説明する。商用電源ライン１１から、図３（ａ）に示すＡＣ電源波形のＡＣ電源が、送信同期信号作成回路２１に与えられ、送信同期信号作成回路２１は、ＡＣ電源波形のゼロクロス点でスイッチングすることにより、図３（ｂ）に示す送信同期信号を作成する。次に、送信コード作成回路２２は、この送信同期信号とコントロールコードとから送信コードを作成する。例えば、コントロールコードが”１０１１”である場合、送信コードは、図３（ｃ）に示す信号波形となる。
【００３６】
発振回路２３は、所定周波数の搬送波を出力しており、この搬送波が送信コード作成回路２２からの送信コードに従ってスイッチングするスイッチ回路２４によってスイッチングされ、図３（ｄ）に示す送信波が送信回路２５に与えられる。そして、この送信波が送信回路２５により電力増幅され、電波として送信される。尚、図３（ｄ）に示す送信波は、便宜上、実際の周波数とは異なる周波数の波形で描かれている。
【００３７】
次に、図２に示すコントロールコード受信機１３の動作を説明する。商用電源ライン１１から、図３（ａ）に示すＡＣ電源波形のＡＣ電源が第１受信同期信号作成回路３１に与えられ、第１受信同期信号作成回路３１は、ＡＣ電源波形のゼロクロス点でスイッチングすることにより、図３（ｅ）に示す第１受信同期信号を作成する。この第１受信同期信号は、図３（ｂ）に示す送信同期信号と位相を同じにしている。そして、この第１受信同期信号の立ち上がりを遅らせ、また、立ち下がりを早めてパルス幅を短くした、図３（ｆ）に示す第２受信同期信号が第２受信同期作成回路３２で作成される。これは、後述する受信波の立ち上がり、立ち下がり時点における不安定な波形になる可能性のある部分を削除するためである。
【００３８】
受信回路３３は、コントロールコード送信機１２からの無線電波を受信して図３（ｇ）に示す受信波を得る。そして、デコード回路３４は、この受信波と第２受信同期信号との論理積をとり、図３（ｈ）に示す受信コードを生成する。換言すれば、図３（ｆ）に示す第２受信同期信号が論理”Ｈ”になったときに、図３（ｇ）に示す受信波の有無から受信コードが得られる。そして、コード判定回路３５で、この受信コードが波形整形され、コントロールコード”１０１１”が得られる。尚、図３（ｇ）に示す受信波および図３（ｈ）に示す受信コードは、便宜上、実際の周波数とは異なる周波数の波形で描かれている。
【００３９】
このようにして、コントロールコードの無線電波によるシリアル伝送が行われる。この伝送方式であると、上述したように、コントロールコード受信機１３では、商用電源波形に合わせて、受信波の有無を確認し、受信波が有れば”１”、無ければ”０”と判断するので、コントロールコード１２から送信される送信電波に、２進数コード（１、０）を区別するための変調をかける必要がない。即ち、コントロールコード送信機１２に変調回路を、また、コントロールコード受信機１３に復調回路を設ける必要がないので、送受信装置を簡単な構成にでき、コストも安価にすることができる。また、商用電源波形からの同期信号をクロックにしたクロック同期方式の通信方式であるので、通信の信頼性が向上する。また、商用電源波形を受動的に利用しているだけなので、商用電源回路網に影響を及ぼすことも無く、また、伝送データに商用電源回路網から影響が及ぶことも無い。
【００４０】
図４は、本発明の第２の実施形態に係る送受信装置の電気的構成を示すブロック図である。図４において、図２と同一の部分には同一の符号を付し、その詳細な説明は省略する。図４において、コントロールコード送信機１２とコントロールコード受信機１３は共に商用電源ライン１１に接続されており、ＡＣ電源（５０／６０Ｈｚ）が供給されている。そして、コントロールコード送信機１２とコントロールコード受信機１３との間で、光（例えば、赤外線）によってコントロールコードがシリアル伝送されている。
【００４１】
コントロールコード送信機１２は、送信同期信号作成回路２１、送信コード作成回路２２、パルス発振回路２６、スイッチ回路２４および発光回路２７で構成されている。また、コントロールコード受信機１３は、第１受信同期信号作成回路３１、第２受信同期信号作成回路３２、受光回路３６、デコード回路３４およびコード判定回路３５で構成されている。これらの各部の動作を図５を参照して説明する。図５は、図４に示すコントロールコード送信機１２およびコントロールコード受信機１３の内部回路の信号波形図である。
【００４２】
先ず、コントロールコード送信機１２の動作を説明する。商用電源ライン１１から、図５（ａ）に示すＡＣ電源波形のＡＣ電源が送信同期信号作成回路２１に与えられ、送信同期信号作成回路２１は、ＡＣ電源波形のゼロクロス点でスイッチングすることにより、図５（ｂ）に示す送信同期信号を作成する。次に、送信コード作成回路２２は、この送信同期信号とコントロールコードとから送信コードを作成する。例えば、コントロールコードが”１０１１”である場合、送信コードの信号波形は、図５（ｃ）に示す信号波形となる。
【００４３】
パルス発振回路２６は、所定周期のパルス信号を出力しており、このパルス信号が送信コード作成回路２２からの送信コードに従ってスイッチングするスイッチ回路２４によってスイッチングされ、図５（ｄ）に示す送信パルス信号が発光回路２７に与えられる。そして、発光回路２７により、この送信パルス信号が光（例えば、赤外線）パルス信号に変換されて、投光される。尚、図５（ｄ）に示す送信パルス信号は、便宜上、実際の周期とは異なる周期の波形で描かれている。
【００４４】
次に、図４に示すコントロールコード受信機１３の動作を説明する。商用電源ライン１１から、図５（ａ）に示すＡＣ電源波形のＡＣ電源が第１受信同期信号作成回路３１に与えられ、第１受信同期信号作成回路３１は、ＡＣ電源波形のゼロクロス点でスイッチングすることにより、図５（ｅ）に示す第１受信同期信号を作成する。この第１受信同期信号は、図５（ｂ）に示す送信同期信号と位相を同じにしている。そして、この第１受信同期信号の立ち上がりを遅らせ、また、立ち下がりを早めてパルス幅を短くした、図５（ｆ）に示す第２受信同期信号が、第２受信同期作成回路３２で作成される。これは、後述する受信パルスの立ち上がり、立ち下がり時点における不安定な波形になる可能性のある部分を削除するためである。
【００４５】
受光回路３６は、コントロールコード送信機１２からの光パルス信号を受光し、電気信号に変換して図５（ｇ）に示す受信パルス信号を得ている。そして、デコード回路３４は、この受信パルス信号と第２受信同期信号との論理積をとり、図５（ｈ）に示す受信コードを生成する。換言すれば、図５（ｆ）に示す第２受信同期信号が論理”Ｈ”になったときに、図５（ｇ）に示す受信パルス信号の有無から受信コードが得られる。そして、コード判定回路３５で、この受信コードが波形整形されて、コントロールコード”１０１１”が得られる。尚、図５（ｇ）に示す受信パルスおよび図５（ｈ）に示す受信コードは、便宜上、実際の周期とは異なる周期の波形で描かれている。
【００４６】
このようにして、コントロールコードの光通信によるシリアル伝送が行われる。この伝送方式であると、上述したように、図５に示すコントロールコード受信機１３では、商用電源波形に合わせて、受信パルス信号の有無を確認し、受信パルス信号が有れば”１”、無ければ”０”と判断するので、コントロールコード１２から出力される光パルス信号に、２進数コード（１、０）を区別するための変調をかける必要がない。即ち、コントロールコード送信機１２に変調回路を、また、コントロールコード受信機１３に復調回路を設ける必要がないので、送受信装置を簡単な構成にでき、コストも安価にすることができる。また、商用電源波形からの同期信号をクロックにしたクロック同期方式の通信方式であるので、通信の信頼性が向上する。また、商用電源波形を受動的に利用しているだけなので、商用電源回路網に影響を及ぼすことも無く、また、伝送データに商用電源回路網から影響が及ぶことも無い。
【００４７】
尚、パルス発振回路２６を用いず、直流で発光回路を駆動させても良いが、外乱光等のノイズの影響を軽減して信頼性を向上するために、パルス信号で駆動させることが好ましい。また、発光素子、受光素子の寿命を延ばすためにもパルス駆動が望ましい。
【００４８】
図６は、本発明の第３の実施形態に係る送受信装置の電気的構成を示すブロック図である。図６において、図４と同一のものには同一の符号を付し、その詳細な説明は省略する。図６において、コントロールコード送信機１２とコントロールコード受信機１３は共に商用電源ライン１１に接続されており、ＡＣ電源（５０／６０Ｈｚ）が供給されている。そして、コントロールコード送信機１２とコントロールコード受信機１３との間で、光（例えば、赤外線）によってコントロールコードがシリアル伝送されている。
【００４９】
図６に示すコントロールコード送信機１２の構成は、図４に示すコントロールコード１２の構成と全く同じであるので、説明を省略する。コントロールコード受信機１３は、第１受信同期信号作成回路３１、第２受信同期信号作成回路３２、受光回路３６、ＤＣ電源回路回３７、電源スイッチ回路３８およびコード判定回路３５で構成されている。これらの各部の動作を図７を参照して説明する。図７は、図６に示すコントロールコード送信機１２およびコントロールコード受信機１３の内部回路の信号波形図である。先ず、商用電源ライン１１から、図７（ａ）に示すＡＣ電源波形のＡＣ電源が送信同期信号作成回路２１に与えられ、送信同期信号作成回路２１は、ＡＣ電源波形のゼロクロス点でスイッチングすることにより、図７（ｂ）に示す送信同期信号を作成する。次に、送信コード作成回路２２は、この送信同期信号とコントロールコードとから送信コードを作成する。例えば、コントロールコードが”１０１１”である場合、送信コードの信号波形は、図７（ｃ）に示す信号波形となる。
【００５０】
パルス発振回路２６は、所定周期のパルス信号を出力しており、このパルス信号が送信コード作成回路２２からの送信コードに従ってスイッチングするスイッチ回路２４によってスイッチングされ、図７（ｄ）に示す送信パルス信号が発光回路２７に与えられる。そして、発光回路２７により、この送信パルス信号が光（例えば、赤外線）パルス信号に変換されて、投光される。尚、図７（ｄ）に示す送信パルス信号は、便宜上、実際の周期とは異なる周期の波形で描かれている。
【００５１】
次に、図６に示すコントロールコード受信機１３の動作を説明する。先ず、商用電源ライン１１から、図７（ａ）に示すＡＣ電源波形のＡＣ電源が第１受信同期信号作成回路３１に与えられ、第１受信同期信号作成回路３１は、ＡＣ電源波形のゼロクロス点でスイッチングすることにより、図７（ｅ）に示す第１受信同期信号を作成する。この第１受信同期信号は、図７（ｂ）に示す送信同期信号と位相を同じにしている。そして、この第１受信同期信号の立ち上がりを遅らせ、また、立ち下がりを早めてパルス幅を短くした第２受信同期信号が、第２受信同期作成回路３２で作成される。これは、後述する受信パルスの立ち上がり、立ち下がりの不安定な波形になる可能性のある部分を削除するためである。
【００５２】
ＤＣ電源回路３７は、受光回路３６に電源を与える電源回路であり、所定の直流電圧を電源スイッチ回路３８を介して受光回路３６に供給している。即ち、電源スイッチ回路３８が導通しているときのみ、受光回路３６は電源を得て動作する。そして、この電源スイッチ回路３８の導通、遮断は、前記第２受信同期信号に応じて行われ、図７（ｆ）に示す波形の電源が、受光回路３６に与えられる。受光回路３６は、コントロールコード送信機１２から図７（ｇ）に示す光パルス信号を得ているが、図７（ｆ）に示す波形の電源が与えられているときのみ、受光した光パルス信号を電気信号に変換するので、この変換した受信コードは、図７（ｈ）に示す波形となる。そして、この受信コードをコード判定回路３５で波形整形して、コントロールコード”１０１１”を得る。尚、図７（ｇ）に示す受光パルスおよび図７（ｈ）に示す受信コードは、便宜上、実際の周期とは異なる周期の波形で描かれている。
【００５３】
このようにして、コントロールコードの光通信によるシリアル伝送が行われる。この伝送方式であると、上述したように、図６に示すコントロールコード受信機１３では、商用電源波形に合わせて、受光回路３６の電源をオン・オフし、電源オンのときに受信パルス信号の有無を確認し、受信パルス信号が有れば”１”、無ければ”０”と判断するので、コントロールコード１２から出力される光パルス信号に、２進数コード（１、０）を区別するための変調をかける必要がない。即ち、コントロールコード送信機１２に変調回路を、コントロールコード受信機１３に復調回路を設ける必要がないので、送受信装置を簡単な構成にでき、コストも安価にすることができる。また、商用電源波形からの同期信号をクロックにしたクロック同期方式の通信方式であるので、通信の信頼性が向上する。また、商用電源波形を受動的に利用しているだけなので、商用電源回路網に影響を及ぼすことも無く、また、伝送データに商用電源回路網から影響が及ぶことも無い。
【００５４】
更に、受光回路３６の電源オフ期間が発生するので、受光回路３６の消費電力を低減することができる。一般的に、ワイヤレスでデータの送受信を行う場合、送信側の電源のオン・オフ状態に拘わらず、受信側は常に受信部の電源をオンにした待機状態にしておく必要がある。即ち、待機状態において、受信部で消費される電力の全体に占める割合は大きく、上述したように、受光回路３６の電源をオフにする期間を発生させて、消費電力を低減することは、送受信装置全体の消費電力低減に非常に有効である。
【００５５】
尚、図６に示す実施形態は、光通信による送受信装置の例であるが、図２に示すような無線通信による送受信装置の場合であっても、本発明は適用でき、その場合は、無線電波の受信回路の電源を商用電源波形に同期させて断続することによって、シリアルデータを商用電源波形に同期させてシリアル伝送できるとともに、消費電力を低減することができる。
【００５６】
以上説明した本発明の第１、第２、第３実施形態は一方向の送受信装置であったが、次に、双方向での送受信システムにおける本発明の実施形態を説明する。一般的に、電波による双方向のシリアルデータ通信を行う際は、混信を避けるために、送信電波と受信電波の周波数を変える必要がある。また、光による双方向のシリアルデータ通信を行う際は、送信光と受信光を分離するのは容易ではない。しかしながら、同期信号を用いた本発明が適用された送受信システムでは、送信信号と受信信号とを同期信号により時分割コントロールできるので、時分割通信により容易に双方向通信が可能となる。
【００５７】
図８は、本発明の第４の実施形態に係る送受信システムの電気的構成を示すブロック図である。図８において、１１は商用電源ライン、４０は第１送受信機、５０は第２送受信機である。第１送受信機４０と第２送受信機５０は、共に商用電源ライン１１に接続されており、ＡＣ電源（５０／６０Ｈｚ）が供給されている。そして、第１送受信機４０と第２送受信機５０との間で、無線通信によってコントロールコードが双方向にシリアル伝送されている。
【００５８】
第１送受信機４０は、第１正相同期信号作成回路４１、インバータ回路４２、第１送信部４３および第１受信部４４で構成されており、第２送受信機５０は、第２正相同期信号作成回路５１、インバータ回路５２、第２受信部５３および第２送信部５４で構成されている。そして、第１送信部４３から第２受信部５３に第１コントロールデータが送信され、第２送信部５４から第１受信部４４に第２コントロールデータが送信されている。また、第１送信部４３と第２送信部５４、および、第１受信部４４と第２受信部５３は、同じ構成の送信部、受信部であり、同じ周波数の電波を送受信している。尚、通信形態は光通信であっても良く、第１送信部４３、第２送信部５４および第１受信部４４、第２受信部５３には、上述した本発明の第１、第２、第３実施形態で示したような送信機および受信機を使用すると良い。
【００５９】
次に、図８に示す送受信システムの動作を図９を参照して説明する。図９は、図８に示す第１送受信機４０および第２送受信機５０の内部回路の信号波形図である。先ず、商用電源ライン１１から、図９（ａ）に示すＡＣ電源波形のＡＣ電源が第１正相同期信号作成回路４１および第２正相同期信号作成回路５１に与えられ、第１正相同期信号作成回路４１は、ＡＣ電源波形のゼロクロス点でスイッチングすることにより、図９（ｂ）に示す第１正相同期信号を作成し、第１送信部４３に与える。一方、第２正相同期信号作成回路５１も、ＡＣ電源波形のゼロクロス点でスイッチングすることにより、第１正相同期信号と同位相の図９（ｂ）に示す第２正相同期信号を作成し、第２受信部５３に与える。尚、本例では第１、第２正相同期信号を同波形としたが、必ずしも同波形でなくても良い。
【００６０】
また、第１送受信機４０のインバータ回路４２は第１正相同期信号を反転させた、図９（ｅ）に示す第１逆相同期信号を作成し、第１受信部４４に与える。また、第２送受信機５０のインバータ回路５２は第２正相同期信号を反転させた、図９（ｅ）に示す第２逆相同期信号を作成し、第２送信部５４に与える。尚、本例では、第１、第２逆相同期信号を同波形としたが、必ずしも同波形でなくても良い。
【００６１】
次に、第１送受信機４０の第１送信部４３は、第１正相同期信号と送信する第１コントロールコード（例えば、”１０１１”）とから、図９（ｃ）に示す第１送信コードを作成し、この送信コードで内部の発振回路で生成した所定周波数の無線搬送波をスイッチングした図９（ｄ）に示す第１送信波を送信する。そして、第２送受信機５０の第２受信部５３は、第２正相同期信号に同期させて、第１送信波を受信する。このようにして、第１コントロールコードが第１送受信機４０から第２送受信機５０にシリアル伝送される。
【００６２】
一方、第２送受信機５０の第２送信部５４は、第２逆相同期信号と送信する第２コントロールコード（例えば、”１０１１”）とから、図９（ｆ）に示す第２送信コードを作成し、この送信コードで内部の発振回路で生成した所定周波数の無線搬送波をスイッチングした図９（ｇ）に示す第２送信波を送信する。そして、第１送受信機４０の第１受信部４４は、第１逆相同期信号に同期させて、第２送信波を受信する。このようにして、第２コントロールコードが第２送受信機５０から第１送受信機４０にシリアル伝送される。尚、図９（ｄ）、図９（ｇ）に示す送信波の波形は、便宜上、実際の周波数とは異なる周波数の波形で描かれている。
【００６３】
このようにすると、商用電源波形に合わせて、受信波が有れば”１”、無ければ”０”と判断するので、送信されるシリアルデータの２進数コード（１、０）を区別するための変調をかける必要がない。即ち、第１送信部４３および第２送信部５４に変調回路を、また、第１受信部４４および第２受信部５３に復調回路を設ける必要がないので、送受信システムを簡単な構成にでき、コストを安価にすることができる。また、商用電源波形からの同期信号をクロックにしたクロック同期方式の通信方式であるので、通信の信頼性が向上する。また、商用電源波形を受動的に利用しているだけなので、商用電源回路網に影響を及ぼすことも無く、また、伝送データに商用電源回路網から影響が及ぶことも無い。
【００６４】
更に、第１送信部４３と第２受信部５３とに与えられる正相同期信号と、第１受信部４４と第２送信部５４とに与えられる逆相同期信号とは、位相が１８０度ずれているので、各々の送信部、受信部間で行われるシリアル伝送は時分割で行われることになる。換言すれば、交互に行われることになる。従って、第１送信部４３と第２送信部５４とが送信する送信波の周波数が同じであっても、混信が生じることはない。従って、送信信号と受信信号とを同期信号により時分割コントロールできるので、時分割通信により容易に双方向通信が可能となる。
【００６５】
尚、本実施形態はコントロールコードを送受信する例を用いて説明したが、送受信されるデータはコントロールコードに限らない。また、本発明は、商用電源ラインに接続された、ワイヤレス通信によるシリアルデータ通信を行う送信機、受信機、一方向通信の送受信装置、送受信機、双方向通信の送受信システムに適用可能である。
【００６６】
【発明の効果】
以上のように、本発明によると、商用電源ラインに接続され、ワイヤレス通信によりシリアルデータを送受信する送信機、受信機、送受信装置、送受信機および送受信システムにおいて、商用電源波形に同期させてシリアル伝送することにより、送信部、受信部に変調回路、復調回路を設けずとも、信頼性の高い通信が可能なので、回路構成を簡単にでき、コストを低減することができる。また、商用電源回路網にノイズ等を放出することもなく、また、商用電源回路網からのノイズが通信に影響を及ぼすこともない。
【００６７】
また、本発明によれば、無線電波の受信回路または光の受光回路の電源を商用電源波形に同期させて断続することによって、シリアルデータを商用電源波形に同期させてシリアル伝送できるとともに、消費電力を低減することができる。
【００６８】
また、本発明によれば、商用電源ラインに接続され、ワイヤレス通信によりシリアルデータを送受信する送受信機、または、そのような送受信機間で双方向にシリアル伝送する送受信システムにおいて、送信信号と受信信号とを商用電源波形からの同期信号により時分割できるので、時分割通信により容易に双方向通信が可能となる。従って、回路構成を簡単にでき、コストを低減することができる。
【図面の簡単な説明】
【図１】は、本発明の一実施形態に係る送受信装置が使用される４ｃｈのＤＶＤシアターシステムの構成を示すブロック図である。
【図２】は、本発明の第１の実施形態に係る送受信装置の電気的構成を示すブロック図である。
【図３】は、図２に示す送受信装置の内部回路の信号波形を示す波形図である。
【図４】は、本発明の第２の実施形態に係る送受信装置の電気的構成を示すブロック図である。
【図５】は、図４に示す送受信装置の内部回路の信号波形を示す波形図である。
【図６】は、本発明の第３の実施形態に係る送受信装置の電気的構成を示すブロック図である。
【図７】は、図６に示す送受信装置の内部回路の信号波形を示す波形図である。
【図８】は、本発明の第４の実施形態に係る送受信システムの電気的構成を示すブロック図である。
【図９】は、図８に示す送受信システムの内部回路の信号波形を示す波形図である。
【符号の説明】
１    ＤＶＤプレーヤーメインユニット
２    フロント２ｃｈアンプ
３、４    フロントスピーカ
５    リア音声送信機
６    リア音声受信機
７    リア２ｃｈアンプ
８、９    リアスピーカ
１０    ユーザ
１１    商用電源ライン
１２    コントロールコード送信機
１３    コントロールコード受信機
２１    送信同期信号作成回路
２２    送信コード作成回路
２３    発振回路
２４    スイッチ回路
２５    送信回路
２６    パルス発振回路
２７    発光回路
３１    第１受信同期信号作成回路
３２    第２受信同期信号作成回路
３３    受信回路
３４    デコード回路
３５    コード判定回路
３６    受光回路
３７    ＤＣ電源回路
３８    電源スイッチ回路
４０    第１送受信機
４１、５１    第１正相同期信号作成回路
４２、５２    インバータ回路
４３    第１送信部
４４    第１受信部
５０    第２送受信機
５３    第２送信部
５４    第２受信部
【図１】
2004274645.tif 000003
【図２】
2004274645.tif 000004
【図３】
2004274645.tif 000005
【図４】
2004274645.tif 000006
【図５】
2004274645.tif 000007
【図６】
2004274645.tif 000008
【図７】
2004274645.tif 000009
【図８】
2004274645.tif 000010
【図９】
2004274645.tif 000011